(57)【要約】【課題】タッチパネルに重ねてボタン装置を配置するデザインを採用し、ボタン装置に実装されているボタンを押したとしても、ボタン群を保持するボタンケースがタッチパネルに触れることがなく、誤動作やタッチパネル破損のおそれのない操作ボタン装置を提供する。【解決手段】エスカッション１９の前面にタッチパネル２１を配置し、タッチパネル２１の周縁部の前方にボタン装置１０を重ねて配置した電子機器１において、ボタン装置１０のボタン本体２７が、ボタンケース２５の内側において、一端に正面視で、ボタン本体２７の押し面２７ａよりもタッチパネル２１の周縁部内方に位置するヒンジ支点を有し、周縁部外方の他端にスイッチ押し部３２を有し、スイッチ押し部３２に対向してスイッチ４７を備え、かつ、押し面２７ａが、タッチパネル２１の周縁部外方にかけて上り形状を備えた。【選択図】図３
2015215965.tif 000002
【特許請求の範囲】
【請求項１】
エスカッションの前面にタッチパネルを配置し、前記タッチパネルの周縁部にボタン装置を重ねて配置した電子機器において、
前記ボタン装置のボタン本体が、ボタンケースの内側において、一端に正面視で、前記ボタン本体の押し面よりも前記タッチパネルの周縁部内方に位置するヒンジ支点を有し、前記周縁部外方の他端にスイッチ押し部を有し、
前記スイッチ押し部に対向してスイッチを備え、
前記ボタン本体の押し面が、前記タッチパネルの周縁部外方にかけて上り形状を備えることを特徴とする電子機器。
【請求項２】
前記ボタンケースが、前記ボタン本体を収容して前記タッチパネルの表面部に延出することを特徴とする請求項１に記載の電子機器。
【請求項３】
前記ボタン本体の押し面が、前記周縁部外方の他端に、突起を有することを特徴とする請求項１又は２の何れか１項に記載の電子機器。
【請求項４】
前記突起に対向する位置に、前記スイッチを押動するスイッチ押し部を備えることを特徴とする請求項３記載の電子機器。
【請求項５】
エスカッションの前面にタッチパネルを配置し、前記タッチパネルの周縁部にボタン装置を重ねて配置した電子機器の操作ボタン装置において、
前記ボタン装置のボタン本体が、ボタンケースの内側において、一端に正面視で、前記ボタン本体の押し面よりも前記タッチパネルの周縁部内方に位置するヒンジ支点を有し、前記周縁部外方の他端にスイッチ押し部を有し、
前記スイッチ押し部に対向してスイッチを備え、
前記ボタン本体の押し面が、前記タッチパネルの周縁部外方にかけて上り形状を備えることを特徴とする電子機器の操作ボタン装置。
【発明の詳細な説明】
【技術分野】
【０００１】
本発明は、タッチパネルに操作ボタンが重ねて備えられる電子機器及び電子機器の操作ボタン装置に関する。
【背景技術】
【０００２】
従来、タッチパネルを用いた電子機器では、電子機器の表側に大きい表示画面を設けるものが知られている（例えば、特許文献１参照。）。
この場合、近年では、表示画面としては可能な限り電子機器の枠いっぱいに液晶及びタッチパネルを備えている。
電子機器の表面の枠いっぱいにタッチパネルを配置した場合、電子機器にプッシュ式のボタン装置を備えるデザインを採用すると、タッチパネルに重ねるようにしてボタン装置が配置される。
【先行技術文献】
【特許文献】
【０００３】
【特許文献１】特開２００７−１５６９９１号公報
【発明の概要】
【発明が解決しようとする課題】
【０００４】
しかしながら、タッチパネルに重ねてボタン装置を配置する場合、ボタン装置のボタンケースに組み合わされているボタンを押すたびにボタンを保持するボタンケースがタッチパネルに触れ、誤動作やタッチパネル破損のおそれがある。
本発明は、上述した事情に鑑みてなされたものであり、ボタンケースに組み合わされているボタンを押したとしても、ボタンケースがタッチパネルに触れることがなく、誤動作やタッチパネル破損のおそれのない操作ボタン装置を提供することを目的とする。
【課題を解決するための手段】
【０００５】
上記目的を達成するために、本発明は、エスカッションの前面にタッチパネルを配置し、前記タッチパネルの周縁部にボタン装置を重ねて配置した電子機器において、前記ボタン装置のボタン本体が、ボタンケースの内側において、一端に正面視で、前記ボタン本体の押し面よりも前記タッチパネルの周縁部内方に位置するヒンジ支点を有し、前記周縁部外方の他端にスイッチ押し部を有し、前記スイッチ押し部に対向してスイッチを備え、前記ボタン本体の押し面が、前記タッチパネルの周縁部外方にかけて上り形状を備えることを特徴とする。
【０００６】
また、本発明は、前記ボタンケースが、前記ボタン本体を収容して前記タッチパネルの表面部に延出することを特徴とする。
【０００７】
また、本発明は、前記ボタン本体の押し面が、前記周縁部外方の他端に、突起を有することを特徴とする。
【０００８】
また、本発明は、前記突起に対向する位置に、前記スイッチを押動するスイッチ押し部を備えることを特徴とする。
【０００９】
また、本発明は、エスカッションの前面に配置されるタッチパネルの周縁部の前方に重ねて配置される電子機器の操作ボタン装置において、前記ボタン装置のボタン本体が、ボタンケースの内側において、一端に正面視で、前記ボタン本体の押し面よりも前記タッチパネルの周縁部内方に位置するヒンジ支点を有し、前記周縁部外方の他端にスイッチ押し部を有し、前記スイッチ押し部に対向してスイッチを備え、前記ボタン本体の押し面が、前記タッチパネルの周縁部外方にかけて上り形状を備えることを特徴とする。
【発明の効果】
【００１０】
本発明によれば、エスカッションの前面にタッチパネルを配置し、前記タッチパネルの周縁部にボタン装置を重ねて配置した電子機器において、前記ボタン装置のボタン本体が、ボタンケースの内側において、一端に正面視で、前記ボタン本体の押し面よりも前記タッチパネルの周縁部内方に位置するヒンジ支点を有し、前記周縁部外方の他端にスイッチ押し部を有し、前記スイッチ押し部に対向してスイッチを備え、前記ボタン本体の押し面が、前記タッチパネルの周縁部外方にかけて上り形状を備えた。
そのため、ユーザが押し面を押す際、押し面のうち、タッチパネルの周縁部外方にかけての斜面形状を押すこととなり、その押し力は、タッチパネル枠外へ伝わる。ひいては、ユーザがボタン本体を押動する際に、タッチパネルに押し力がかからず、誤動作やタッチパネル破損等の不都合を回避できる。
【図面の簡単な説明】
【００１１】
【図１】本発明の実施形態に係る電子機器の外観の斜視図である。
【図２】本発明の実施形態に係る電子機器の分解斜視図である。
【図３】本発明の実施形態に係るボタン装置の側面断面図である。
【図４】本発明の実施形態に係るタッチパネルの断面図である。
【発明を実施するための形態】
【００１２】
以下、図面を参照して本発明の実施形態について説明する。
図１は、本実施の形態に係る電子機器１の斜視図を示す。
電子機器１は、中心に画面３が位置し、画面３は、液晶１７と、抵抗膜方式（感圧式）のタッチパネル２１とからなる。画面３の周囲には、エスカッション１９が設けられ、エスカッション１９の下部には、ボタン装置１０が形成されている。電子機器１は、タッチパネル２１、および、ボタン装置１０に備えられる各種ボタンにより操作される。
【００１３】
図２は、電子機器１の分解斜視図を示す。また、図３は、図１に示したボタン装置１０の側面断面図である。
図２に示すように、電子機器１は、電子機器１の裏側から、リアケース１１と、液晶基板１３と、液晶ホルダー１５と、液晶１７と、エスカッション１９と、抵抗膜方式のタッチパネル２１とを備える。また、電子機器１の表面下部には、ボタン装置１０が備えられている。ボタン装置１０は、電子機器１の表側から、ボタンケース２５（上蓋２５ａ、下蓋２５ｂ）と、ボタン本体２７と、スイッチ基板２９と、矩形補強板３１と、Ｌ字補強板３３とを備える。
【００１４】
より詳細には、図２に示すように、電子機器１は、裏面をリアケース１１で覆われている。リアケース１１の裏面１１ａの四隅には、固定孔１２、１２…が設けられている。固定孔１２、１２…は凸形状となっており、固定孔１２、１２…には、正面視略円柱状の固定端面１２ａ、１２ａ…が備えられている。固定端面１２ａ、１２ａ…は、液晶基板１３の裏面１３ａの四隅に当接される。液晶基板１３は、正面視略矩形であり、その四隅には、ねじ孔１３ｂ、１３ｂ…が設けられている。リアケース１１と液晶基板１３とは、リアケース１１の表面１１ｂの側から、液晶基板止めねじ５１、５１…により、ねじ止めされる。
【００１５】
液晶ホルダー１５は、正面視略矩形であり、図３に示すように、底面部１５ａと、底面部１５ａから立ち上がる側面部１５ｂとを備える。
底面部１５ａは、リアケース１１の第２の底面部１１ｃと当接し、第２の底面部１１ｃの外側から、液晶ホルダー止めねじ１６により、第２の底面部１１ｃと固定されている。側面部１５ａの表面１５ｃには、液晶１７が当接されている。液晶１７は、正面視略矩形の液晶であり、その周囲には液晶枠部１７ａが設けられており、液晶１７の表面１７ｂの側からは、エスカッション１９の液晶抑え枠部１９ａが、液晶枠部１７ａを覆うようにして当接され、液晶１７はエスカッション１９に嵌め込まれる。
エスカッション１９の底面部１９ｂは、図３に示すように、リアケース１１の第１の底面部１１ｂに当接されている。エスカッション１９は、表面下部に水平方向と略並行にタッチパネル補助枠部１９ｃが備えられており、タッチパネル補助枠部１９ｃの内側には、タッチパネル２１が配置される。このとき、タッチパネル２１の裏面２１ｂと、エスカッション１９の液晶押さえ枠部１９ａとの間は、両面テープ２２により固定されている。
【００１６】
ボタン装置１０は、図３に示すように、ボタンケース２５と、ボタンケース２５に収容されたボタン本体２７とを備える。ボタン本体２７は、側面視略凸形状であり、上部（タッチパネルの内側方向部分）にフランジ４１を備え、下部（タッチパネルの外側方向部分）にフランジ４２を備える。
ボタン本体２７は、上部のフランジ４１の裏面（一端）に、正面視で、ボタン本体２７の押し面２７ａの幅領域Ｗを幅ＷＡだけ越えて、タッチパネル２１の周縁部内方に位置するヒンジ部４３を有する。ヒンジ部４３は、フランジ４１と受け部４５の間に配置されている。受け部４５には、スイッチ基板４８が沿い、スイッチ基板４８は、側面視略矩形の矩形補強板３１を介して側面視略Ｌ字型のＬ字補強板３３に固定されている。
【００１７】
受け部４５は、ボタン本体２７の構成部品の一部であり、ボタン本体２７と受け部４５はヒンジ部４３により連結され、これらは、ボタンケース２５とスイッチ基板４８とで挟み込まれて固定されている。また、スイッチ基板４８、矩形補強板３１、Ｌ字補強板３３の３部材は、スイッチ基板４８の表面４８ａの側から、スイッチ固定ねじ５１により、ねじ止めされている。また、Ｌ字補強板３３の底面部３３ａと、リアケース１１の第１底面部１１ｂとは、リアケース１１の第１底面部１１ｂの側から、ボタン装置固定ねじ５２により、ねじ止めされている。このようにねじ止めされることで、ボタン装置１０は、リアケース１１に固定されている。
この場合、ボタン装置１０は、タッチパネル２１に直接に接触することなく、リアケース１１に固定されており、ボタンケース上蓋２５ａは、タッチパネル２１に接触しない。なお、ボタン装置１０自体はタッチパネル２１と接触しないが、図３に示すように、Ｌ字補強板３３の側面部３３ｂが、クッション３４を介して、タッチパネル２１に接触する構成とされている。
【００１８】
ボタン本体２７のうち、押し面２７ａは、タッチパネル２１の周縁部外側にかけて上り斜面形状を備える構成とされている。また、押し面２７ａの表側下部には、突起３０が備えられている。ボタン本体２７の裏側であり、突起３０に対向する位置には、スイッチ押し部３２が構成されている。スイッチ押し部３２と対向する位置には、スイッチ基板４８に実装されたスイッチ４７が配置されており、押し面２７ａを押した際には、スイッチ押し部３２により、スイッチ４７が押動される。
スイッチ基板４８は、側面視略矩形で縦長に構成されており、その表面４８ａの下部にはスイッチ４７が実装され、また、表面４８ａの上部には受け部４５が当接されている。
スイッチ押し部３２がスイッチ４７を押動する際に働く押し力Ｆ１は、矩形補強板３１、Ｌ字補強板３３を介して、矢示Ｆ１の方向、すなわち、リアケース１１へと働く。
【００１９】
図４は、本実施の形態に係る抵抗膜方式（感圧式）タッチパネル２１の断面図である。
タッチパネル２１は、ガラス部６１と、ガラス部６１にフレーム７０を介して配置されるフィルム部７１とを備える。
ガラス部６１は、固定基板となるガラス６３と、ガラス６３に張り合わされているガラス側透明電極６５とで構成されており、ガラス側透明電極６５は、フレーム７０に当接されている。フィルム部７１は、フレーム７０を介してガラス部６１と対向配置されており、フィルム７３を備える。フィルム７３のガラス部６１との対向面には、フィルム側透明電極７５が張り合わされている。また、フィルム７３のガラス部６１と対向する面と逆側の面には、粘着材７７を介して加飾フィルム７９が備えられている。
電子機器１の使用時には、加飾フィルム７９が指で押され、フィルム部７１が撓み、フィルム側透明電極７５とガラス側透明電極６５とが接触することで、タッチパネル２１として機能する。
なお、図３に示すように、タッチパネル２１の下部には、ボタン装置１０が配置されているが、ボタン本体２７の押し面２７ａを押動する際に働く押し力Ｆ１がかかる位置には、タッチパネル２１に押し力をかけず、誤動作やタッチパネル破損のおそれを未然に防止するため、タッチパネル２１のガラス側透明電極６５およびフィルム側透明電極７５は配置されないよう構成されている。
【００２０】
次に、本実施の形態に係る電子機器１において、押し面２７ａを押した場合の作用について説明する。
押し面２７ａは、タッチパネル２１の周縁部外側にかけて上り斜面形状を備えており、また、傾斜して突出した部分には突起３０が設けられている。そのため、押し面２７ａを押動する際には、突起３０に指を掛けて、突起３０とともに、押し面２７ａの下部を押しやすい。押し面２７ａの下部が押動されると、押し面２７ａよりもタッチパネル２１の周縁部内側にヒンジ部４３が設けられていることから、ボタン本体２７は、タッチパネル２１の周縁部外側方向（矢示Ｃ方向）にかけて押動される。その際、ボタン本体２７の裏側であり、突起３０に対向する位置に設けられたスイッチ押し部３２が、スイッチ押し部３２と対向する位置に配置されたスイッチ４７を押動する。
なお、押し面２７ａのうち、突起３０の部分ではなく、タッチパネル２１の周縁部内側方向部分が押動された場合にも、押し面２７ａがヒンジ部４３と比較しタッチパネル２１の周縁部外側に構成されているため、ボタン本体２７は、タッチパネル２１の周縁部外側方向（矢示Ｃ方向）にかけて押動される。
【００２１】
以上説明したように、本実施の形態によれば次の効果を奏する。
すなわち、本実施の形態では、ボタン本体２７の押し面２７ａが、タッチパネル２１の周縁部外側にかけて上り斜面形状を備え、上り斜面形状の上り部分に、突起３０を備えた。
そのため、押し面２７ａを押すにあたり、押し面２７ａの突起３０付近を押すよう誘導することができる。
【００２２】
また、本実施の形態によるボタン本体２７では、押し面２７ａよりもタッチパネル２１の周縁部内側にヒンジ部４３を設けた。
そのため、押し面２７ａを押した場合、ボタン本体２７は、ヒンジ部４３を基点に、ボタン本体２７は、タッチパネル２１の周縁部外側方向（矢示Ｃ方向）にかけて押動されるため、矢示Ａ方向（図３参照。）へ押し力Ｆ１が働き、ヒンジ部４３と水平方向に略並行な矢示Ｂ方向（図３参照。）へは押し力が働かない。したがって、押し面２７ａを押した場合にも、ボタンケース上蓋２５ａがタッチパネル２１に押し力をかけず、誤動作やタッチパネル２１を破損するおそれがない。
【００２３】
また、本実施の形態によれば、ボタン本体２７の押し面２７ａを押動する際に働く押し力Ｆ１（図３参照。）がかかる位置には、タッチパネル２１のガラス側透明電極６５およびフィルム側透明電極７５が配置されない構成とされている。
そのため、ボタン本体２７を押動しても、タッチパネル２１のガラス側透明電極６５およびフィルム側透明電極７５に押し力がかからない。したがって、ガラス側透明電極６５とフィルム側透明電極７５との接触を防止することができ、誤動作やタッチパネル２１を破損するおそれがない。
【００２４】
また、本実施の形態によれば、スイッチ押し部３２により押動されるスイッチ４７を実装するスイッチ基板４８の背後に、矩形補強板３１、Ｌ字補強板３３を供え、Ｌ字補強板３３はリアケース１１の第１の底面部１１ｂに固定する構成を用いた。
そのため、ボタン本体２７を押動した際にかかる押し力Ｆ１を、矩形補強板３１、Ｌ字補強板３３を介してリアケース１１で受けることができる。したがって、タッチパネル２１に押し力がかからず、誤動作やタッチパネル２１の回路を破損するおそれがない。
【００２５】
また、本実施の形態によれば、ボタン装置１０とタッチパネル２１とは、直接に接触しない構成をとるため、ボタンケース上蓋２５ａとタッチパネル２１との間には、わずかな隙間が生じる。そこで、ボタン装置１０のＬ字補強板３３と、タッチパネル２１との間には、クッション３４が設けられている。
クッション３４を備えるため、電子機器１の長期間の使用によるボタンケース上蓋２５ａとタッチパネル２１との間生じる、わずかな隙間から埃等の異物が電子機器１の内部に侵入することを防止することができる。
【００２６】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００２７】
例えば、本実施の形態では、ボタン装置１０を、タッチパネル２１の下部に設けたが、必ずしもタッチパネルの下部に限らず、タッチパネル２１の左右の端、もしくはタッチパネル２１の上端にボタン装置を用いる構成であってもよい。
より詳細には、タッチパネル２１の左右の端に、上下に延びるボタン装置１０を設ける場合、上述したヒンジ部４３は、タッチパネル２１の左右端の縦に延びた外周縁の内方に配置することが重要である。また、タッチパネル２１の上端に、横方向に延びるボタン装置を設ける場合、上述したヒンジ部４３は、タッチパネル２１の上端横方向に延びた外周縁の内方に配置することが重要である。
【００２８】
また、例えば、本実施の形態では、スイッチ４７を押動するにあたり、押し面２７ａに突起３０を備え、突起３０に対向する位置には、スイッチ押し部３２を設け、ボタン本体２７を押動したとき、スイッチ押し部３２がスイッチを押す構成とした。
もっとも、押し面２７ａ押動する際にその押し力Ｆ１（図３参照）がタッチパネル２１のガラス側透明電極６５およびフィルム側透明電極７５部分に伝わらなければよい。そのため、例えば、突起３０を設けるのみで、スイッチ押し部３２は設けず、スイッチ４７は、ボタン本体２７のフランジ４２によって押動する構成であってもよい。また、例えば、突起３０省略する構成など、他の構成をとってもよい。
【００２９】
また、例えば、本実施の形態では、押し面２７ａは、タッチパネル２１の周縁部外側にかけて上り斜面形状を備えるが、この形状に限定されず、例えばボタン本体２７の上方から下方に向けて階段状に形成され、押し面２７ａの下部を凸形状とするなど、他の構成であってもよい。
【００３０】
また、例えば、本実施の形態では、スイッチ基板４８の背後に、矩形補強板３１、Ｌ字補強板３３を供え、Ｌ字補強板３３はリアケース１１の第１の底面部１１ｂに固定する構成を用いた。もっとも、押し面２７ａを押した際、スイッチ押し部３２がスイッチ４７を押動する押し力Ｆ１を、リアケース１１で受けることができる構成であれば、矩形補強板３１、Ｌ字補強板３３は他の形状の構成であってもよい。
【符号の説明】
【００３１】
１  電子機器
１０  ボタン装置
１１  リアケース
１９  エスカッション
２１  タッチパネル
２５（２５ａ、２５ｂ）  ボタンケース
２７  ボタン本体
２７ａ  押し面
２９  スイッチ基板
３０  突起
３１  矩形補強板
３２  スイッチ押し部
３３  Ｌ字補強板（取付け板）
３５  クッション
４３  ヒンジ部
４７  スイッチ
４８  スイッチ基板
６５  ガラス側透明電極６５
７５  フィルム側透明電極７５
【図１】
2015215965.tif 000003
【図２】
2015215965.tif 000004
【図３】
2015215965.tif 000005
【図４】
2015215965.tif 000006